(57)【特許請求の範囲】
【請求項１】
建物外装板の下端に配する水切り材本体と、通気間隙に配する通気板とからなり、
水切り材本体には、支持部が形成され、この支持部に、通気板の一方の端部を挿込んで、着脱自在に取付固定する形式であり、
通気板は柔軟な弾性板製で、かつ、通気板の中途部には、予め成形された湾曲部を有し、
取付状態ででも自由に着脱が可能で、かつ、取付時には常に、支持部に挿込まれた通気板の一方の端部以外の通気板の一部が、その弾性によって、通気間隙の壁面と接触して支持されるようになる通気板付き水切り材。
【請求項２】
通気板の他方の端部が、その弾性によって、通気間隙の壁面と接触するようになる請求項１記載の通気板付き水切り材。
【請求項３】
水切り材本体には、別の支持部が形成され、この別の支持部に、通気板の他方の端部を挿込んで、着脱自在に取付固定する形式であり、通気板の中途部が、その弾性によって、通気間隙の壁面と接触するようになる請求項１記載の通気板付き水切り材。
【発明の詳細な説明】
【０００１】
【発明の属する技術分野】
本発明は、建物の外装板の下端などに取付ける水切り材に関し、特に通気板の付いた水切り材の改良に係る。
【０００２】
【従来の技術】
建物の外装板を伝って流下してきた雨水を外方に導いて滴下させる為の水切り材は、従来から種々の形態のものが提案実施されている。この従来の水切り材の通常の形態は、土台に固定される取付部と、雨水案内用の傾斜部と、前垂れ部とが連設された形であるが、これに通気壁工法に用いられるものでは、通気壁の開口部に配される防虫通気板を取付けたものが提案されている。また、布基礎と土台との間の適所に基礎パッキンを介装し、基礎パッキンの無い箇所を床下通気用間隙として利用する工法に用いる水切り材には、この隙間に配する防鼠通気板を付設したものも提案されている。
【０００３】
【発明が解決しようとする課題】
ところが、前記の防虫用や防鼠用の通気板付きの水切り材では、その通気板が剛性材料製の為、通気間隙の寸法変動に対応できず、間隙寸法に合わせて、形状の異なったものを別個に用意しなければならないという問題がある他、通気板が水切り材と完全一体状に作られている為、製造時の工作が難しくて、製造コストが高くなったり、取付施工時の作業性が悪かったりする問題がある。
【０００４】
本発明は、このような点に鑑み、通気板が着脱自在で、かつ、通気間隙の寸法変動に対応できる通気板付き水切り材を提供するにある。
【０００５】
【課題を解決する手段】
本願発明の通気板付き水切り材の技術的手段は、建物外装板の下端に配する水切り材本体と、通気間隙に配する通気板とからなり、水切り材本体には、支持部が形成され、この支持部に、通気板の一方の端部を挿込んで、着脱自在に取付固定する形式であり、通気板は柔軟な弾性板製で、かつ、通気板の中途部には、予め成形された湾曲部を有し、取付状態ででも自由に着脱が可能で、かつ、取付時には常に、支持部に挿込まれた通気板の一方の端部以外の通気板の一部が、その弾性によって、通気間隙の壁面と接触して支持されることにある。
【０００６】
また、通気板の他方の端部を、その弾性によって、通気間隙の壁面に接触するようにしてもよい。更に、水切り材本体には、別の支持部を形成し、この別の支持部に、通気板の他方の端部を挿込んで、着脱自在に取付固定する形式とし、通気板の中途部が、その弾性によって、通気間隙の壁面と接触するようにしてもよい。
【０００７】
【発明の実施の形態】
本発明の水切り材の実施の形態を、図面の実施例に基づいて説明する。図１には、第１実施例の水切り材の取付使用状態が示されている。１は布基礎、２は土台、３は基礎パッキンである。基礎パッキン３は布基礎１と土台２との間の適所に設けられ、基礎パッキン３の無い所が床下換気用の通気間隙４となる。５は外装板で、その下端に水切り材が取付けられる。
【０００８】
１０は水切り材本体であり、合成樹脂やアルミニウムなどで作られ、その形状は自由であるが、図示例のものは、取付部１１と、雨水案内用傾斜部１２と、前垂れ部１３とが一体に連設された形である。この水切り材本体１０は、取付部１１を土台２に釘止めするなどの手段で、取付固定される。
【０００９】
２０は防鼠通気板であり、柔軟な弾性板製で、板面には鼠が通過できない大きさの通気孔が多数形成されている。この通気板２０は水切り材本体１０に対して着脱自在であり、この為、水切り材本体１０の傾斜部１２の裏面には支持部１４が形成されていて、この支持部１４に通気板２０の基端２１を挿込むことにより、通気板２０を水切り材本体１０に取付固定する。この取付状態で、通気板２０の先端２２は土台１の表面に接触する。通気板２０は柔軟な弾性板製であるから、土台１との間隔の如何にかかわらず、先端２２は常に土台１に接触するようになるのである。
【００１０】
図２には、第２実施例が示されている。この第２実施例では、防鼠通気板２０の形状が、第１実施例のものと異なっている。図３には、防鼠通気板２０が網板製の第３実施例が示されている。図４の第４実施例には、防鼠通気板２０が網板製である他、両端２１、２２を、２個の支持部１４、１５に挿込み固定する形のものが示されている。
【００１１】
図５には、外装板５の内側に、通気間隙６を設けた通気壁工法に用いる第５実施例が示されている。３０は防虫通気板であり、網板製や、虫が通過できない多数の小孔を設けた弾性板製で、水切り材本体１０に対して着脱自在である。この為、水切り材本体１０の取付部１１の外面には支持部１６が形成されていて、ここに通気板３０の基端３１を挿込むことによって、取付固定する。通気板３０は柔軟で、弾性を有するので、取付状態では常に、その先端３２が外装板５と接触するようになる。この為、通気間隙６の大小には影響されない。
【００１２】
図６には、防虫通気板３０の形が、第５実施例と異なった第６実施例が示されている。この第６実施例は通気板３０の両端３１、３２を、２個の支持部１６、１７に挿込んで取付ける形式である。この実施例では、通気板３０の、弧状になった中央部３３が外装板５と常時、接触するようになる。
【００１３】
本発明は、前記の実施例に限定されるものではなく、特許請求の範囲の記載の範囲内で自由に変形実施可能である。特に、水切り材本体１０の形状、更に、防鼠・防虫通気板２０、３０の材質、形状、及び水切り材本体１０に対する取付固定形成などは自由である。また、防鼠通気板２０と防虫通気板３０との両方を、水切り材本体１０に取付けた形式とすることも可能である。
【００１４】
【発明の効果】
本発明の水切り材は、水切り材本体の支持部に、通気板の一方の端部を挿込んで固定する形式であり、かつ、通気板が、柔軟な弾性板製で、中途部には、予め成形された湾曲部を有するから、水切り材本体に対して通気板を、取付後でも柔軟性を利用して自由に着脱でき、その作業は簡単である。また、通気板は、柔軟な弾性板製で、その弾性によって、挿込まれた端部以外の通気板の一部が、通気間隙の壁面と、独りでに接触して支持されるようになるから、通気間隙の大小の影響を受けずに使用でき、かつ、取付状態での安定が良いなど、実用上、極めて有益である。
【００１５】
請求項２のものでは、前記効果の他に、通気板は、柔軟な弾性板製で曲部を有し、取付状態では、通気板の他方の端部が、その弾性によって、通気間隙の壁面と常に接触するようになるので、取付後でも着脱は自在であり、かつ、通気間隙の大小の影響を受けずに使用できる。
【００１６】
請求項３のものでは、前記効果の他に、水切り材本体に２個の支持部が形成され、この２個の支持部に、通気板の両端をそれぞれ挿込んで、着脱自在に取付固定する形式で、通気板の中途部が、その弾性によって、通気間隙の壁面と常に接触するようになるので、取付後でも着脱は自在であり、かつ、通気間隙の大小の影響を受けずに使用できる。
【図面の簡単な説明】
【図１】第１実施例の取付状態の断面図。
【図２】第２実施例の取付状態の断面図。
【図３】第３実施例の取付状態の断面図。
【図４】第４実施例の取付状態の断面図。
【図５】第５実施例の取付状態の断面図。
【図６】第６実施例の取付状態の断面図
【符号の説明】
１０                      水切り材本体
１１                      取付部
１２                      雨水案内用傾斜部
１３                      前垂れ部
１４、１５、１６、１７    支持部
２０                      防鼠通気板
２１、２２                通気板の端部
３０                      防虫通気板
３１、３２                通気板の端部
３３                      通気板の中央部
【図１】
0005201613.tif 000002
【図２】
0005201613.tif 000003
【図３】
0005201613.tif 000004
【図４】
0005201613.tif 000005
【図５】
0005201613.tif 000006
【図６】
0005201613.tif 000007